(57)【要約】【課題】伝送路線路間の浮遊容量に蓄えられた電荷に基づく電流信号によって、受信機が間違った信号を受信してしまうことがあった。【解決手段】受信機から伸びる伝送路に端末器を接続し、受信機から伝送路を介して送られるクロックパルスの所定位置のクロックパルス信号間に端末器が信号を返すことにより、端末器から受信機へ返送信号を送る伝送方式が用いられた受信機の返送信号受信回路において、端末器からの返送信号を受信する際に、所定位置のクロックパルス信号間の始めの所定期間、返送信号受信回路をバイパスして返送信号を返送信号受信回路に入力させない受信信号バイパス手段を設けた。【選択図】  図１
2010252127.tif 000002
【特許請求の範囲】
【請求項１】
受信機から伸びる伝送路に端末器を接続し、前記受信機から伝送路を介して送られるクロックパルスの所定位置のクロックパルス信号間に端末器が信号を返すことにより、前記端末器から受信機へ返送信号を送る伝送方式が用いられた受信機の返送信号受信回路において、
前記端末器からの返送信号を受信する際に、前記所定位置のクロックパルス信号間の始めの所定期間、返送信号受信回路をバイパスして返送信号を返送信号受信回路に入力させない受信信号バイパス手段を設けたことを特徴とする受信機の返送信号受信回路。
【請求項２】
請求項１記載の受信機の返送信号受信回路において、
前記受信信号バイパス手段は、前記所定位置のクロックパルス信号間の始まりを検出する微分回路と、該微分回路の出力により駆動されて返送信号受信回路のバイパス線路を閉じるスイッチ回路からなることを特徴とする受信機の返送信号受信回路。
【請求項３】
請求項２記載の受信機の返送信号受信回路において、
前記微分回路は、直列接続されたコンデンサと抵抗からなり、その接続点から前記スイッチ回路に出力することを特徴とする受信機の返送信号受信回路。
【発明の詳細な説明】
【技術分野】
【０００１】
本発明は、受信機から伸びる伝送路に端末器を接続し、端末器から受信機に送られる返送信号を受信する受信機の返送信号受信回路に関する。
【背景技術】
【０００２】
従来から、伝送路の一端に接続された受信機と伝送路に接続された少なくとも１つ以上の端末器との間でデータ伝送を行う方式として、受信機がアドレス等により端末器を選択した後、引き続きクロックパルス等の一連の繰り返しパルス信号を送出し、その信号を受信した端末器は各クロックパルス間の立ち下がりから立ち上がりまでの期間を利用して所定のデータを受信機へ伝送するようにしたものが知られている（例えば、特許文献１参照）。
【０００３】
すなわち、図４に示すように、受信機１から伸びる伝送路２には端末器３が接続されている。端末器３は通常複数接続されるが、ここでは説明を簡単にするため、１つのみ示してある。伝送路２は、一対の線路よりなっており、相互の信号をやり取りする通信回線となると共に、受信機１から端末器３への電源供給路となることもある。
【０００４】
受信機１は、トランジスタＴ８，Ｔ９、発光素子Ｌ２、受光素子Ｐ２およびインバータＮ１等より構成され、また、端末器３は、ドライバＤ１，Ｄ２および定電流回路Ｇ等より構成されている。端子Ｊ１には送信する情報に応じた信号が印加され、トランジスタＴ８，Ｔ９はその送信情報に応じてオン、オフする。そして、トランジスタＴ９がオンとなるとき、端末器３側から電流が供給されるとその電流を流すことができる。
【０００５】
受信機１は、送信する情報に応じた信号が端子Ｊ１に与えられると、信号に応じてトランジスタＴ８，Ｔ９がオン、オフし、その情報が端末器３の端子Ｊ３に表れる。ここで、受信機１から伝送路２に送られる信号は、クロックパルスが基本となっている。そして、このクロックパルスのパルス信号間ＣＰの信号挿入状況により、第５図に示すように、１，０の２値信号を送信する。すなわち、繰り返されるクロックパルス信号の２つをもって１つの値を表現するものとし、図５（ａ），（ｂ）に示すように、このクロックパルスのパルス信号間ＣＰに信号が挿入された波形を「１」とし、挿入されていない波形を「０」とするのである。このようにして、図６に示すように、受信機１から伝送路２を介して送られるクロックパルスの所定位置のパルス信号間ＣＰに、信号を挿入することにより情報を端末器３側に送信する。そして、端末器３は、ドライバＤ２を介して受信機１からアドレス等の選択信号や制御コマンドを含む送信情報を受信する。
【０００６】
一方、端末器３は、端子Ｊ２、ドライバＤ１および定電流回路Ｇを介して受信機１へ所定の情報を送信する。すなわち、上記のような受信機１の送信情報によって選択された端末器３は、引き続く一連の繰り返しクロックパルス信号の所定位置のパルス信号間ＣＰに同期させて、端子Ｊ２から入力した情報信号をドライバＤ１および定電流回路Ｇを介して挿入することにより受信機１に返送する。受信機１は、クロックパルス信号に同期させてトランジスタＴ９をオンとし、伝送路２を介して端末器３から送られてくる電流信号によって発光素子Ｌ２を発光させ、クロックパルス信号に同期して作動可能な状態とした受光素子Ｐ２およびインバータＮ１を介して端子Ｊ４から情報信号を取り出す。
【先行技術文献】
【特許文献】
【０００７】
【特許文献１】特開昭５９−７９６５７号公報
【発明の概要】
【発明が解決しようとする課題】
【０００８】
上記のように、受信機１は伝送路２を介して送られてくる電流信号によって発光素子Ｌ２を発光させ、情報信号を取り出すのであるが、伝送路２の距離が長くなると、端末器３から電流信号を送っていないのに伝送線路２から発光素子Ｌ２に電流が流れて発光素子Ｌ２が発光してしまい、結果的に受信機１が間違った信号を受信してしまうことがあった。
これは、伝送路２の距離が長くなると、線路間の浮遊容量Ｆが大きなものとなり、この浮遊容量Ｆに蓄えられた電荷によって電流信号が発生するためである。
【課題を解決するための手段】
【０００９】
請求項１記載の発明は、受信機から伸びる伝送路に端末器を接続し、受信機から伝送路を介して送られるクロックパルスの所定位置のクロックパルス信号間に端末器が信号を返すことにより、端末器から受信機へ返送信号を送る伝送方式が用いられた受信機の返送信号受信回路において、端末器からの返送信号を受信する際に、所定位置のクロックパルス信号間の始めの所定期間、返送信号受信回路をバイパスして返送信号を返送信号受信回路に入力させない受信信号バイパス手段を設けた構成としている。
【００１０】
請求項２記載の発明は、請求項１記載の受信機の返送信号受信回路において、受信信号バイパス手段は、所定位置のクロックパルス信号間の始まりを検出する微分回路と、この微分回路の出力により駆動されて返送信号受信回路のバイパス線路を閉じるスイッチ回路からなる構成としている。
【００１１】
請求項３記載の発明は、請求項２記載の受信機の返送信号受信回路において、微分回路は、直列接続されたコンデンサと抵抗からなり、その接続点から前記スイッチ回路に出力する構成としている。
【発明の効果】
【００１２】
本発明は、上記請求項１から請求項３記載の構成によれば、端末器からの返送信号を受信する際に、所定位置のクロックパルス信号間の始めの所定期間、返送信号受信回路をバイパスして返送信号を返送信号受信回路に入力させない受信信号バイパス手段を設けたので、伝送路２の距離が長くなって線路間の浮遊容量Ｆが大きなものとなっても、この浮遊容量Ｆに蓄えられた電荷を所定位置のクロックパルス信号間の始めの所定期間に受信信号バイパス手段を介して放電させるため、浮遊容量Ｆに蓄えられた電荷によって返送信号受信回路の発光素子Ｌ２が発光してしまうことがなくなり、受信機１が間違った信号を受信することがなくなる。なお、クロックパルス信号間の始めの所定期間以降残りのクロックパルス信号間については受信信号バイパス手段が働かず、端末器３から伝送路２を介して返送信号があれば、この返送信号が返送信号受信回路に入力するので、正常に返送信号を受信することができる。
【図面の簡単な説明】
【００１３】
【図１】本発明による受信機の返送信号受信回路を備えた実施例における概略構成図である。
【図２】本発明による受信機の返送信号受信回路を備えた実施例における動作を説明するための概略構成図である。
【図３】本発明による受信機の返送信号受信回路を備えた実施例における動作を説明するための概略構成図である。
【図４】従来の受信機の返送信号受信回路を備えた実施例における概略構成図である。
【図５】伝送路２を介して送られる信号を説明するための波形図である。
【図６】伝送路２を介して送られる信号を説明するための波形図である。
【発明を実施するための形態】
【００１４】
つぎに、本発明の一実施例を図面を参照して説明する。図１は、本発明による受信機の返送信号受信回路を備えた実施例における概略構成図であって、受信機１から伸びる伝送路２には端末器３が接続されている。端末器３は通常複数接続されるが、ここでは説明を簡単にするため、１つのみ示してある。伝送路２は、一対の線路よりなっており、相互の信号をやり取りする通信回線となると共に、受信機１から端末器３への電源供給路となることもある。
【００１５】
受信機１は、トランジスタＴ１，Ｔ２，Ｔ３，Ｔ４，Ｔ５，Ｔ６、発光素子Ｌ１、受光素子Ｐ１、コンデンサＣおよび抵抗Ｒ１，Ｒ２等より構成され、また、端末器３は、ドライバＤ１，Ｄ２および定電流回路Ｇ等より構成されているが、端末器３側の構成は図４に示した従来の端末器と同様の構成および動作であるので、ここでは説明を省略する。
【００１６】
端子Ｊ１には送信する情報に応じた信号が印加され、トランジスタＴ１，Ｔ２，Ｔ４，Ｔ５，Ｔ６はその送信情報に応じてオン、オフする。そして、トランジスタＴ２がオンとなるとき、端末器３側から電流が供給されるとその電流を流すことができる。このトランジスタＴ２がオンすると、端末器３側から供給される電流によって発光素子Ｌ１が発光し、それを受光素子Ｐ１が受光してオンすることにより、端子Ｊ４に端末器３からの返送信号が受信される。このように、発光素子Ｌ１と受光素子Ｐ１によって返送信号受信回路Ｈが形成されている。
【００１７】
しかし、本発明においてはトランジスタＴ２がオンとなり得る状態に置かれて、伝送路２側から電流が供給されても、始めの所定期間、端末器３側から供給される電流が流れることはない。
【００１８】
すなわち、端末器からの返送信号を受信する際に、トランジスタＴ２はクロックパルス信号間においてオンとなり得る状態に置かれるが、このトランジスタＴ２と返送信号受信回路Ｈの発光素子Ｌ１からなる直列電路と並列にバイパス線路４が接続され、このバイパス線路４をトランジスタＴ３からなるスイッチ回路が閉じて、図２に矢印５で示すように、伝送路２側からの電流が返送信号受信回路Ｈに流れ込まないようにしている。このスイッチ回路のトランジスタＴ３は、クロックパルス信号間の始まりを検出する微分回路によって駆動される。微分回路は、直列接続されたコンデンサＣと抵抗Ｒ１からなり、クロックパルス信号間よりも短い時定数を持つ直列回路よりなっていて、その直列接続点がスイッチ回路のトランジスタＴ３に接続され、クロックパルス信号間の始まりを検出してトランジスタＴ３をオンするようにしている。
【００１９】
このように、端末器３側からの返送信号を受信するタイミングにおける所定位置のクロックパルス信号間の始まりを検出する微分回路と、この微分回路の出力により駆動されて返送信号受信回路のバイパス線路を閉じるスイッチ回路とから受信信号バイパス手段Ｂを構成している。これにより、伝送路２の距離が長くなって、線路間の浮遊容量Ｆが大きなものとなり、端末器３側から返送信号がないにも係わらず、この浮遊容量Ｆに蓄えられた電荷が受信機１側に流れ込むようなことがあっても、この電流がバイパス線路４を介して放電され、返送信号受信回路Ｈに流れ込むようなことがなくなり、受信機１が間違った信号を受信してしまうことがなくなる。
以上から、微分回路の時定数は、線路間の浮遊容量Ｆに蓄えられた電荷を放電させるのに十分な時間であればよいと言える。
【００２０】
なお、クロックパルス信号間の始めの所定期間以降残りのクロックパルス信号間については受信信号バイパス手段Ｂが働かず、図３に矢印６で示すように、端末器３から伝送路２を介して返送信号があれば、この返送信号が返送信号受信回路Ｈに入力するので、正常に返送信号を受信することができる。
【産業上の利用可能性】
【００２１】
本発明の返送信号受信回路は、各種防災設備における受信機、例えば火災報知設備に設けられた火災感知器等の多数の端末器から情報を収集する火災受信機や、防犯設備に設けられた侵入検出器等の多数の端末器から情報を収集する制御装置等の、特に長い伝送路２に接続された火災受信機や制御装置に用いることができる。
【符号の説明】
【００２２】
１                      受信機
２                      伝送路
３                      端末器
Ｈ                      返送信号受信回路
Ｂ                      受信信号バイパス手段
Ｔ３                    スイッチ回路（トランジスタ）
Ｃ   コンデンサ
Ｒ１   抵抗
【図１】
2010252127.tif 000003
【図２】
2010252127.tif 000004
【図３】
2010252127.tif 000005
【図４】
2010252127.tif 000006
【図５】
2010252127.tif 000007
【図６】
2010252127.tif 000008